(57)【要約】【課題】本発明は、竿体をフック内側に挿入しやすく、かつフック外側にも抜去しやすくし、しかも、通常の使用状態ではフックが竿体から脱落しない脱落防止機能付き衣類用ハンガーを提供する。【解決手段】本発明は、衣類を吊下げるハンガー本体の略上部中央にハンガー本体を竿体に吊下げるための馬蹄形状のフックを突設した衣類用ハンガーにおいて、フックの基部にフックの切欠開口部を開閉自在となす竿体取付機構を備え、竿体取付機構を開閉してハンガー本体を竿体に取り付けた際に、竿体取付機構を構成する当接部材が竿体に当接してハンガー本体を支持固定すべく構成していることを特徴としている。【選択図】  図１
2010240044.tif 000002
【特許請求の範囲】
【請求項１】
衣類を吊下げるハンガー本体の略上部中央にハンガー本体を竿体に吊下げるための馬蹄形状のフックを突設した衣類用ハンガーにおいて、
フックの基部にフックの切欠開口部を開閉自在となす竿体取付機構を備え、
竿体取付機構を開閉してハンガー本体を竿体に取り付けた際に、竿体取付機構を構成する当接部材が竿体に当接してハンガー本体を竿体に支持固定すべく構成している
ことを特徴とする脱落防止機能付き衣類用ハンガー。
【請求項２】
竿体取付機構は、フックの基部に枢支した当接部材としての円形状の円板と、フックの切欠開口部を部分的に開閉すべく円板を付勢する付勢機構を備え、この付勢機構は円板をフックの切欠開口部を一部狭めた位置で停止状態となるように付勢する
ことを特徴とする請求項１に記載の脱落防止機能付き衣類用ハンガー。
【請求項３】
竿体取付機構は、フックの基部に枢支した当接部材としてのＬ字形状のアームと、同アームの長片部の先端に枢支するガイド体を備え、竿体をフックへの取り付けの際には、竿体をアームの短片部に当接させながらさらに押込み同アームをフックの湾曲部の外方へ揺動させて、上方のフックの空間に竿体を当接すると、アームはフックの湾曲部の内方へ復帰して揺動するとアームの短片部先端の湾曲部が竿体に当接して支持すべく構成している
ことを特徴とする請求項１に記載の脱落防止機能付き衣類用ハンガー。
【請求項４】
竿体取付機構は、竿体の長手方向に開閉する当接部材としての板状の下部支持部と、フックの基部に設けた矩形状の開口部内の両側部に下部支持部の中途部を枢支する構成としている
ことを特徴とする請求項１に記載の脱落防止機能付き衣類用ハンガー。
【請求項５】
竿体取付機構は、竿体の長手方向に開閉する当接部材としての三日月形状の下部支持部と、同下部支持部に連設した連結部と、フックの基部に連結部を枢支する構成としている
ことを特徴とする請求項１に記載の脱落防止機能付き衣類用ハンガー。
【請求項６】
竿体取付機構は、竿体の長手方向に開閉する当接部材としての下部支持部と、同下部支持部を連結部を介してフックの基部に連設した半円柱形状の取付部に枢支する構成としている
ことを特徴とする請求項１に記載の脱落防止機能付き衣類用ハンガー。
【発明の詳細な説明】
【技術分野】
【０００１】
本発明は、ハンガー竿体に衣類を掛けて吊るす際に用いる衣類用ハンガーに係り、詳しくは風や外力によってハンガー竿体から衣類用ハンガーが脱落するのを防止する脱落防止機能付き衣類用ハンガーに関する。
【背景技術】
【０００２】
従来、竿体からフック付きのハンガーが風等に揺られて落下しないように、脱落防止機能付きの衣類用ハンガーが多数考案されている。例えば、特許文献１に示すように、ハンガー本体の略中央に立設したフックの切欠開口部を一部閉塞する干渉体を復元自在に配設し、この干渉体が切欠開口部を一部閉塞している状態では竿体の抜け止めがなされるように構成している。
【０００３】
すなわち、フック内に竿体を挿入係合する場合は、干渉体が切欠開口部からフック内に傾倒して何ら支障とならず、フックを竿体から離脱する場合は、竿体と干渉しないように干渉体を内側へ傾倒して切欠開口部を開放状態として、竿体を切欠開口部から抜去するものである。フックを竿体に係合した状態では、干渉体が切欠開口部を一部閉塞して竿体が切欠開口部から抜去されるのを干渉し、フックの離脱を防止している。
【先行技術文献】
【特許文献】
【０００４】
【特許文献１】実用新案登録第３０８２７１５号公報
【発明の開示】
【発明が解決しようとする課題】
【０００５】
しかしながら、かかる従来の脱落防止機能付き衣類用ハンガーにおいては、竿体を切欠開口部からフック内側に挿入する場合は、干渉体の付勢による復元力を利用して一気に押込み挿入できるものの、フックを離脱する際の動作が煩雑であるため使用しづらい欠点があった。具体的には、フックの切欠開口部の干渉体は、フック内側方向には傾倒しやすいように付勢されているものの、反対方向、すなわち、切欠開口部を開放する方向には可及的に作動しないような一方向傾倒自在な構成としており、従って、竿体をフックから抜去するのが煩雑となる。仮に、干渉体が外側に傾倒して切欠開口部を容易に開口できるようにしたとすれば、風や衝撃で竿体がフックの切欠開口部から干渉体の障害に抗して容易に抜去されてしまうことになり、脱落防止の機能が果たせないおそれがある。
【０００６】
そこで、本発明は、竿体をフック内側に挿入しやすく、かつフック外側にも抜去しやすくし、しかも、通常の使用状態ではフックが竿体から脱落しない脱落防止機能付き衣類用ハンガーを提供することを目的とする。
【課題を解決するための手段】
【０００７】
上記目的を達成するため、請求項１に記載の発明は、衣類を吊下げるハンガー本体の略上部中央にハンガー本体を竿体に吊下げるための馬蹄形状のフックを突設した衣類用ハンガーにおいて、フックの基部にフックの切欠開口部を開閉自在となす竿体取付機構を備え、竿体取付機構を開閉してハンガー本体を竿体に取り付けた際に、竿体取付機構を構成する当接部材が竿体に当接してハンガー本体を竿体に支持固定すべく構成していることを特徴とする。
【０００８】
請求項２に記載の発明は、請求項１に記載の脱落防止機能付き衣類用ハンガーにおいて、竿体取付機構は、フックの基部に枢支した当接部材としての円形状の円板と、フックの切欠開口部を開閉するための円板を付勢する付勢機構を備え、この付勢機構は円板をフックの切欠開口部を一部狭めた位置で停止状態となるように付勢することを特徴とする。
【０００９】
請求項３に記載の発明は、請求項１に記載の脱落防止機能付き衣類用ハンガーにおいて、竿体取付機構は、フックの基部に枢支した当接部材としてのＬ字形状のアームと、同アームの長片部の先端に枢支するガイド体を備え、竿体をフックへの取り付けの際には、竿体をアームの短片部に当接させながらさらに押込み同アームをフックの湾曲部の外方へ揺動させて、上方のフックの空間に竿体を当接すると、アームはフックの湾曲部の内方へ復帰して揺動するとアームの短片部先端の湾曲部が竿体に当接して支持すべく構成していることを特徴とする。
【００１０】
請求項４に記載の発明は、請求項１に記載の脱落防止機能付き衣類用ハンガーにおいて、竿体取付機構は、竿体の長手方向に開閉する当接部材としての板状の下部支持部と、フックの基部に設けた矩形状の開口部に下部支持部の中途部を枢支する構成としていることを特徴とする。
【００１１】
請求項５に記載の発明は、請求項１に記載の脱落防止機能付き衣類用ハンガーにおいて、竿体取付機構は、竿体の長手方向に開閉する当接部材としての三日月形状の下部支持部と、同下部支持部に連設した連結部と、フックの基部に連結部を枢支する構成としていることを特徴とする。
【００１２】
請求項６に記載の発明は、請求項１に記載の脱落防止機能付き衣類用ハンガーにおいて、竿体取付機構は、竿体の長手方向に開閉する当接部材としての下部支持部と、同下部支持部を連結部を介してフックの基部に連設した半円柱形状の取付部に枢支する構成としていることを特徴とする。
【発明の効果】
【００１３】
本発明の請求項１に記載の脱落防止機能付き衣類用ハンガーによれば、衣類を吊下げるハンガー本体の略上部中央にハンガー本体を竿体に吊下げるための馬蹄形状のフックを突設した衣類用ハンガーにおいて、フックの基部にフックの切欠開口部を開閉自在となす竿体取付機構を備え、竿体取付機構を開閉してハンガー本体を竿体に取り付けた際に、竿体取付機構を構成する当接部材が竿体の下面に当接して下方から支持固定すると共にフック内側が竿体の下面以外の部分を支持することができ、風等の影響を受けても、フック内側に挿入した竿体からフックは容易に脱落しない効果がある。また、フックの切欠開口部を開閉自在となす竿体取付機構により、竿体をフック内側に挿入しやすく、かつフック外側にも抜去しやすくすることが可能となる効果がある。
【００１４】
本発明の請求項２に記載の脱落防止機能付き衣類用ハンガーによれば、竿体取付機構は、フックの基部に枢支した当接部材としての円形状の円板と、フックの切欠開口部を開閉するための円板を付勢する付勢機構を備え、この付勢機構は円板をフックの切欠開口部を一部狭めた位置で停止状態となるように付勢する。したがって、ハンガー本体を竿体に取付ける場合は、竿体を円板の湾曲部に当接してさらに水平方向に押込むと、円板は付勢機構の付勢力に抗して回動して下方に押下げられ、フックの切欠開口部を全開となるように開放し、竿体をフック内に挿入することができる。そして、付勢機構の付勢復元力により、円板は、元通り停止位置で停止しフックの切欠開口部を半分閉じた形態となる。円板の湾曲部はフック内に挿入された竿体の下面に当接しており、風等でハンガー本体が上下方向に大きく揺動しても、ハンガー本体の上下方向の振動を減少して、ハンガー本体が竿体から脱落することを防止することができる。さらに、フックから竿体を取り外す場合は、竿体に円板を下方に押下げるように押し当てるとフックの切欠開口部が全開し、容易に竿体の抜去を容易に行うことができる。
【００１５】
本発明の請求項３に記載の脱落防止機能付き衣類用ハンガーによれば、竿体取付機構は、フックの基部に枢支した当接部材としてのＬ字形状のアームと、同アームの長片部の先端に枢支するガイド体を備え、竿体をフックへの取り付けの際には、竿体をアームの短片部に当接させながらさらに押込み同アームをフックの湾曲部の外方へ揺動させて、上方のフックの空間に竿体を当接すると、アームはフックの湾曲部の内方へ復帰して揺動するとアームの短片部先端の湾曲面が竿体に当接して支持すべく構成している。したがって、ハンガー本体をフックを介して竿体に取付ける場合は、竿体をフックの切欠開口部に挿入し、さらに押込むとアームの短片部に竿体の周縁が当接して、アームをフックの湾曲部の外方へ押し出すように揺動し、そして、ハンガー本体を上方へ押上げる。フックの空間に竿体を当接すると、アームはフックの湾曲部の内方へ復帰するように揺動し、アームの短片部先端の湾曲部が竿体の下面に当接して、すなわち、竿体にはフックとアームの湾曲部が当接してその係合状態を維持することとなる。ハンガー本体が風等で上下方向に大きく揺動しても、ハンガー本体の上下方向の振動を減少し、ハンガー本体が竿体から脱落することを防止することができる。さらに、フックから竿体を取り外す場合は、アームをフックの湾曲部の外方へ押し出し、ハンガー本体を下方へ押し下げて、アームの短片部に接触した状態のままフックの切欠開口部を押し開くように水平方向に引き出すことでフックの空間から竿体の抜去を容易に行うことができる。
【００１６】
本発明の請求項４に記載の脱落防止機能付き衣類用ハンガーによれば、竿体取付機構は、竿体の長手方向に開閉する当接部材としての板状の下部支持部と、フックの基部に設けた矩形状の開口部に下部支持部の中途部を枢支する構成としている。したがって、ハンガー本体をフックを介して竿体に取付ける場合は、下部支持部を回転すると、フックの切欠開口部が開口し、竿体をフックの切欠開口部から挿入し、ハンガー本体を上方へ押上げる。フックの空間に竿体を当接した状態で、下部支持部を復帰回転すると、下部支持部の先端の湾曲部が竿体の下面に当接して、すなわち、竿体にはフックと下部支持部の湾曲部が当接してその当接状態を維持することとなる。ハンガー本体が風等で上下方向に大きく揺動しても、ハンガー本体の上下方向の振動を減少し、ハンガー本体が竿体から脱落することを防止することができる。さらに、フックから竿体を取り外す場合は、上記取り付け作業と逆の手順を行うと、すなわち、下部支持部を回転すると、フックの切欠開口部が開口し、竿体をフックの空間から切欠開口部を介して容易に取り外すことができる。
【００１７】
本発明の請求項５に記載の脱落防止機能付き衣類用ハンガーによれば、竿体取付機構は、竿体の長手方向に開閉する当接部材としての三日月形状の下部支持部と、同下部支持部に連設した連結部と、フックの基部に連結部を枢支する構成としている。したがって、ハンガー本体をフックを介して竿体に取り付ける場合は、下部支持部を揺動すると、フックの切欠開口部が開口し、竿体をフックの切欠開口部から挿入し、ハンガー本体を上方へ押上げる。フックの空間に竿体を当接した状態で、下部支持部を復帰回転すると、下部支持部の湾曲部が竿体の下面に当接して、すなわち、竿体にはフックと下部支持部の湾曲部が当接してその当接状態を維持することとなる。ハンガー本体が風等で上下方向に大きく揺動しても、ハンガー本体の上下方向の振動を減少し、ハンガー本体が竿体から脱落することを防止することができる。さらに、フックから竿体を取り外す場合は、上記取り付け作業と逆の手順を行うと、すなわち、下部支持部を揺動すると、フックの切欠開口部が開口し、竿体をフックの空間から切欠開口部を介して容易に取り外すことができる。
【００１８】
本発明の請求項６に記載の脱落防止機能付き衣類用ハンガーによれば、竿体取付機構は、竿体の長手方向に開閉する当接部材としての下部支持部と、同下部支持部を連結部を介してフックの基部に連設した半円柱形状の取付部に枢支する構成としている。したがって、ハンガー本体をフックを介して竿体に取付ける場合は、下部支持部を取付部を中心に９０度回転すると、フックの切欠開口部が開口し、竿体をフックの切欠開口部から挿入し、ハンガー本体を上方へ押上げる。フックの空間に竿体を当接した状態で、下部支持部を取付部を中心に９０度回転してもとの位置に戻すと、下部支持部の湾曲部が竿体の下面に当接する。すなわち竿体にはフックと下部支持部の湾曲部が当接してその当接状態を維持することとなる。風等でハンガー本体が上下方向に大きく揺動しても、ハンガー本体が上下方向の振動を減少し、ハンガー本体が竿体から脱落することを防止することができる。さらに、フックから竿体を取り外す場合は、上記取り付け作業と逆の手順を行うと、すなわち、下部支持部を取付部を中心に９０度揺動すると、フックの切欠開口部が開口し、竿体をフックの空間から切欠開口部を介して容易に取り外すことができる。
【図面の簡単な説明】
【００１９】
【図１】本発明に係る第１実施形態の脱落防止機能付き衣類用ハンガーを示す斜視図である。
【図２】本発明に係る第１実施形態の脱落防止機能付き衣類用ハンガーを示す斜視図である。
【図３】本発明に係る第１実施形態の脱落防止機能付き衣類用ハンガーの取り付け形態を示す説明図である。
【図４】本発明に係る第１実施形態の脱落防止機能付き衣類用ハンガーの取り付け形態を示す説明図である。
【図５】本発明に係る第１実施形態の脱落防止機能付き衣類用ハンガーの取り付け形態を示す説明図である。
【図６】本発明に係る第１実施形態の脱落防止機能付き衣類用ハンガーの取り付け形態を示す説明図である。
【図７】本発明に係る第１実施形態の脱落防止機能付き衣類用ハンガーの取り外し形態を示す説明図である。
【図８】本発明に係る第１実施形態の脱落防止機能付き衣類用ハンガーの取り外し形態を示す説明図である。
【図９】本発明に係る第１実施形態の脱落防止機能付き衣類用ハンガーの取り外し形態を示す説明図である。
【図１０】本発明に係る第２実施形態の脱落防止機能付き衣類用ハンガーを示す斜視図である。
【図１１】本発明に係る第２実施形態の脱落防止機能付き衣類用ハンガーを示す斜視図である。
【図１２】本発明に係る第２実施形態の脱落防止機能付き衣類用ハンガーの取り付け形態を示す説明図である。
【図１３】本発明に係る第２実施形態の脱落防止機能付き衣類用ハンガーの取り付け形態を示す説明図である。
【図１４】本発明に係る第２実施形態の脱落防止機能付き衣類用ハンガーの取り付け形態を示す説明図である。
【図１５】本発明に係る第２実施形態の脱落防止機能付き衣類用ハンガーの取り付け形態を示す説明図である。
【図１６】本発明に係る第２実施形態の脱落防止機能付き衣類用ハンガーの取り外し形態を示す説明図である。
【図１７】本発明に係る第２実施形態の脱落防止機能付き衣類用ハンガーの取り外し形態を示す説明図である。
【図１８】本発明に係る第２実施形態の脱落防止機能付き衣類用ハンガーの取り外し形態を示す説明図である。
【図１９】本発明に係る第３実施形態の脱落防止機能付き衣類用ハンガーを示す斜視図である。
【図２０】本発明に係る第３実施形態の脱落防止機能付き衣類用ハンガーを示す斜視図である。
【図２１】本発明に係る第３実施形態の脱落防止機能付き衣類用ハンガーの取り付け形態を示す説明図である。
【図２２】本発明に係る第３実施形態の脱落防止機能付き衣類用ハンガーの取り付け形態を示す説明図である。
【図２３】本発明に係る第３実施形態の脱落防止機能付き衣類用ハンガーの取り付け形態を示す説明図である。
【図２４】本発明に係る第３実施形態の脱落防止機能付き衣類用ハンガーの取り外し形態を示す説明図である。
【図２５】本発明に係る第３実施形態の脱落防止機能付き衣類用ハンガーの取り外し形態を示す説明図である。
【図２６】本発明に係る第３実施形態の脱落防止機能付き衣類用ハンガーの取り外し形態を示す説明図である。
【図２７】本発明に係る第４実施形態の脱落防止機能付き衣類用ハンガーを示す斜視図である。
【図２８】本発明に係る第４実施形態の脱落防止機能付き衣類用ハンガーを示す斜視図である。
【図２９】本発明に係る第４実施形態の脱落防止機能付き衣類用ハンガーの取り付け形態を示す説明図である。
【図３０】本発明に係る第４実施形態の脱落防止機能付き衣類用ハンガーの取り付け形態を示す説明図である。
【図３１】本発明に係る第４実施形態の脱落防止機能付き衣類用ハンガーの取り付け形態を示す説明図である。
【図３２】本発明に係る第４実施形態の脱落防止機能付き衣類用ハンガーの取り外し形態を示す説明図である。
【図３３】本発明に係る第４実施形態の脱落防止機能付き衣類用ハンガーの取り外し形態を示す説明図である。
【図３４】本発明に係る第５実施形態の脱落防止機能付き衣類用ハンガーを示す斜視図である。
【図３５】本発明に係る第５実施形態の脱落防止機能付き衣類用ハンガーを示す斜視図である。
【図３６】本発明に係る第５実施形態の脱落防止機能付き衣類用ハンガーの取り付け形態を示す説明図である。
【図３７】本発明に係る第５実施形態の脱落防止機能付き衣類用ハンガーの取り付け形態を示す説明図である。
【図３８】本発明に係る第５実施形態の脱落防止機能付き衣類用ハンガーの取り付け形態を示す説明図である。
【図３９】本発明に係る第５実施形態の脱落防止機能付き衣類用ハンガーの取り外し形態を示す説明図である。
【図４０】本発明に係る第５実施形態の脱落防止機能付き衣類用ハンガーの取り外し形態を示す説明図である。
【発明を実施するための形態】
【００２０】
本発明に係る脱落防止機能付き衣類用ハンガーは、衣類を吊下げるハンガー本体の略上部中央にハンガー本体を竿体に吊下げるための馬蹄形状のフックを突設した衣類用ハンガーにおいて、フックの基部にフックの切欠開口部を開閉自在となす竿体取付機構を備え、
竿体取付機構を開閉してハンガー本体を竿体に取り付けた際に、竿体取付機構を構成する当接部材が竿体に当接してハンガー本体を竿体に支持固定すべく構成している。
【００２１】
ハンガー本体は、フックに連設して鼓形状とした基部と、基部に連設して上着を掛けるべく緩やかに傾斜した左右肩部と、この両肩部に一体的に形成すると共にズボンを吊るす空間を備えた連結部とを有している。
【００２２】
この竿体取付機構の当接部材は、ハンガー本体を竿体に吊下げた際に、竿体の周面のうち下方に位置する下面と当接するように形成している。すなわち、ハンガー本体は風で上下振動しても常に竿体取付機構の当接部材の湾曲部が竿体の下面に当接して同ハンガー本体を支持するため、フック内側に挿入した竿体からフックは容易に脱落しない。
【００２３】
また、竿体取付機構は、フックの基部に枢支した当接部材としての円形状の円板と、フックの切欠開口部を開閉するための円板を付勢する付勢機構を備え、この付勢機構は円板をフックの切欠開口部を一部狭めた位置で停止状態となるように付勢する構成としている。
【００２４】
円板の周縁には、突出した凸部を連設しており、この凸部は、フックの湾曲部の終端に設けた規制部と当接して、付勢機構の付勢力による円板がフックの切欠開口部を過剰に狭めてしまうことを規制している。
【００２５】
円板の端部とフックの基部との枢支部には、付勢機構としての巻バネの中央巻き部を枢支し、巻バネの一端の自由端は円板の先端内部に固定し、他端の自由端はハンガー本体のフックの基部の右下部に固定しており、巻バネの付勢力は円板をフックの切欠開口部の一部を閉塞方向へ作用する。
【００２６】
円板は、巻バネによりフックの切欠開口部の２分の１を閉じた状態で付勢停止されるようにしている。
【００２７】
フックの切欠開口部から竿体を挿入し、円板を枢支部を中心に揺動してフック内方に大きく押込む際に、円板は円板の周縁の湾曲部が竿体と摺動しやすく、さらに巻バネの付勢力に抗し易くすべく形成している。
【００２８】
一方、ハンガー本体をフックを介して竿体に取付ける場合は、竿体を円板の周縁の湾曲部に当接してさらに水平方向に押込むと、円板は枢支部を中心に巻バネの付勢力に抗して回動して下方に押下げられ、フックの切欠開口部を全開となるように開放し、竿体をフック内に挿入する。このときフックの切欠開口部は、巻バネの付勢復元力により、円板は、元通り停止位置で停止しフックの切欠開口部を半分閉じた位置となる。そして、円板の周縁の湾曲部はフック内に挿入された竿体の下面に当接しており、風等でハンガー本体が上下方向に大きく揺動しても、ハンガー本体の上下方向の振動を減少して、ハンガー本体が竿体から脱落することを防止することができる。
【００２９】
他方、フックから竿体を取り外す場合は、竿体に円板を枢支部を中心に下方に押下げるように押し当てるとフックの切欠開口部が半分閉じられた位置から全開し、容易に竿体の抜去が行えるものである。そして、巻バネの付勢復元力により、円板は元通り停止位置で停止しフックの切欠開口部を半分閉じた位置となる。
【００３０】
また、竿体取付機構は、フックの中央の基部に枢支した当接部材としてのＬ字形状のアームと、同アームの長片部の先端に枢支する鳥形状のガイド体を備え、竿体をフックへの取り付けの際には、竿体をアームの短片部に当接させながらさらに押込み同アームをフックの湾曲部の外方へ揺動させて、上方のフックの空間に竿体を当接すると、アームはフックの湾曲部の内方へ復帰して揺動するとアームの短片部先端の湾曲部が竿体に当接して支持すべく構成している。
【００３１】
フックの基部には、鳥形状のガイド体の頭部とくちばし部を収容するように切り抜いた半だるま形状の収容部を設けている。すなわち、収容部は、フックの切欠開口部を開閉した際に、ガイド体の円形状の頭部と三角形状のくちばし部が揺動自在となるように形成している。また、フックの基部の縁部には、矩形状の突起部を設けており、鳥形状のガイド体の翼部の先端が突起部と当接すると共にガイド体のくちばし部がフックの先端部の凹部に当接することで、フックの切欠開口部を閉じてロック状態を保持するように構成している。
【００３２】
フックの先端部には、フックの切欠開口部を閉蓋した状態のときに鳥形状のガイド体の翼部の先端部と一体形状とすべく、く形状に切欠いて凹部を形成している。
【００３３】
Ｌ字形状のアームは、長片部の基端側の中途部がフックの中央の基部と揺動自在に枢支され、長片部の先端側の先端部が鳥形状のガイド体の中央付近の腹部と揺動自在に枢支されるように形成している。また、長片部の長手方向に垂直な方向に短片部を連設しており、短片部の先端の湾曲部が竿体の下面に当接した際に接触面を大きくすべく、へこませた湾曲形状に形成し、短片部の一側部が竿体の曲率形状と同一となるような曲部を形成している。
【００３４】
ハンガー本体をフックを介して竿体に取り付ける場合は、竿体をフックの切欠開口部に挿入し、さらに押込むとアームの短片部の曲部に竿体の周縁が当接して、アームをフックの湾曲部の外方へ押し出すように揺動し、そして、ハンガー本体を上方へ押上げると、すなわち、フックの空間に竿体を当接すると、アームはフックの湾曲部の内方へ復帰するように揺動し、アームの短片部先端の湾曲部が竿体の下面に当接して、フックが竿体に係合してその係合状態を維持することとなる。風等でハンガー本体が上下方向に大きく揺動しても、ハンガー本体の上下方向の振動を減少し、ハンガー本体が竿体から脱落することを防止することができる。
【００３５】
さらに、フックが竿体に係合した状態からフックの切欠開口部を閉じてロック状態となすために、アームの先端に枢支した鳥形状のガイド体の翼部の先端が突起部と当接すると共にガイド体のくちばし部がフックの先端部の凹部に当接することで、フックの切欠開口部が閉じてロック状態を維持することが可能となる。
【００３６】
他方、フックから竿体を取り外す場合は、アームをフックの湾曲部の外方へ押し出し、ハンガー本体を下方へ押し下げて、そして、アームの短片部の曲部に接触した状態のままフックの切欠開口部を押し開くように水平方向に引き出すことでフックの空間から竿体の抜去が容易に行えるものである。
【００３７】
また、竿体取付機構は、竿体の長手方向に開閉する当接部材としての板状の下部支持部と、フックの中央の基部に設けた矩形状の開口部内の両側部に下部支持部の中途部を枢支する構成としている。
【００３８】
すなわち、下部支持部の中途部の両側部から挿通して形成した挿通口に回転軸を挿通し、さらに回転軸の両端をフックの基部の開口部内の両側部に枢支することにより枢支部を構成している。
【００３９】
下部支持部の先端には、上記回転軸方向に竿体の下面に沿った湾曲形状の湾曲部を形成し、下部支持部の下部の下端には、フックの切欠開口部を開閉すべく揺動した際に、フックの基部の開口部内の底部と摺動し易くすべく竿体の長手方向を下方に凸の湾曲形状の摺動部を形成している。さらに、下部支持部の下部には、下部支持部がフックの基部を挟持してロックするロック機構を設けている。
【００４０】
ロック機構は、長方形状のロック片を下部支持部の前部後部にそれぞれ設けて枢支している。このロック機構では、ロック片の長部を回転軸と同じ方向にしている状態が、下部支持部が揺動自在となるフリー状態となり、一方、ロック片を回転して長部を回転軸に垂直となす方向にしてフックの基部を挟持した状態が下部支持部をロックした状態となる。
【００４１】
ハンガー本体をフックを介して竿体に取り付ける場合は、下部支持部を枢支部を中心に回転すると、フックの切欠開口部が開口し、竿体をフックの切欠開口部から挿入し、ハンガー本体を上方へ押上げる。フックの空間に竿体を当接した状態で、下部支持部を竿体の長手方向に枢支部を中心に復帰回転すると、下部支持部の先端の湾曲部が竿体の下面に当接して、すなわち、竿体にはフックと下部支持部の湾曲部が当接してその当接状態を維持することとなる。風等でハンガー本体が上下方向に大きく揺動しても、ハンガー本体の上下方向の振動を減少し、ハンガー本体が竿体から脱落することを防止することができる。
【００４２】
さらに、ロック機構のロック片を回転して長部を回転軸に垂直となす方向にしてフックの基部を挟持することにより、下部支持部をロックした状態となる。
【００４３】
他方、フックから竿体を取り外す場合は、上記取り付け作業と逆の手順を行うと、すなわち、ロック機構のロック片の長部を回転軸と同じ方向になるように回転することにより、下部支持部が揺動自在なフリー状態となり、そして、下部支持部が竿体の長手方向となるように枢支部を中心に回転すると、フックの切欠開口部が開口し、竿体をフックの空間から切欠開口部を介して取り外すことができる。
【００４４】
また、竿体取付機構は、竿体の長手方向に開閉する当接部材としての三日月形状の下部支持部と、同下部支持部に連設した連結部と、フックの基部に連結部を枢支する構成としている。
【００４５】
すなわち、連結部の下部をフックの基部に設けたＬ字形状の切欠部内の基部の側部に枢支することにより枢支部を構成している。
【００４６】
連結部の下部は、下部支持部を竿体の長手方向に９０度開閉自在とすべく、前方下部を曲面形状に形成し、後方下部を直角形状にそれぞれ形成している。
【００４７】
下部支持部は、三日月形状に形成した湾曲部と、この湾曲部の表面に設けた弾性のストッパー部とからなり、ハンガー本体を竿体に取付けた際に、下部支持部とフックにより竿体を取付けるための環体を形成することとなる。さらに、フックの中央の基部には、下部支持部をロックするロック機構を設けており、ロック機構は、長方形状のロック片を下部支持部の前部に設けて枢支している。ロック機構は、ロック片の長部を垂直方向から水平方向に位置した状態が、下部支持部の揺動を規制するロック状態となり、一方、ロック片の長部を垂直方向に位置した状態が、下部支持部が揺動自在となるフリーな状態となる。
【００４８】
ハンガー本体をフックを介して竿体に取り付ける場合は、下部支持部の湾曲部が竿体の長手方向に向くように枢支部を中心に９０度揺動すると、フックの切欠開口部が開口し、竿体をフックの切欠開口部から挿入し、ハンガー本体を上方へ押上げる。フックの空間に竿体を当接した状態で、下部支持部を枢支部を中心に９０度復帰回転すると、下部支持部の先端の湾曲部のストッパー部が竿体の下面に当接して、すなわち、竿体にはフックと下部支持部の湾曲部が当接してその当接状態を維持することとなる。風等でハンガー本体が上下方向に大きく揺動しても、ハンガー本体の上下方向の振動を減少し、ハンガー本体が竿体から脱落することを防止することができる。
【００４９】
さらに、ロック機構のロック片の長部を垂直方向から水平方向に位置した状態とすることにより、下部支持部の揺動を規制するロック状態となる。
【００５０】
他方、フックから竿体を取り外す場合は、上記取り付け作業と逆の手順を行うと、すなわち、ロック機構のロック片を垂直方向に位置した状態とすることにより、下部支持部が揺動自在なフリー状態となり、そして、下部支持部の湾曲部が竿体の長手方向に向くように枢支部を中心に９０度揺動すると、フックの切欠開口部が開口し、竿体をフックの空間から切欠開口部を介して取り外すことができる。
【００５１】
また、竿体取付機構は、竿体の長手方向に開閉する当接部材としての下部支持部と、同下部支持部を連結部を介してフックの基部に連設した半円柱形状の取付部に枢支する構成としている。
【００５２】
下部支持部は、フックの先端より延出した三日月形状に形成しており、この下部支持部は、竿体の下部に当接する湾曲部と、湾曲部の一端に連設すると共にフックの先端に当接する突部と、湾曲部の他端に連設すると共にフックの湾曲部に当接する突片とからなる。下部支持部の前部には、１対の板状の連結部の一方の端部をそれぞれ連設し、さらに、連結部の他方の端部は、フックの中央の基部に連設した取付部にそれぞれ挟持した状態で揺動自在となるように構成している。
【００５３】
フックの湾曲部には、下部支持部の突片に係合してロック状態となす多角形状のロック機構のロック片を枢支しており、ロック片には、突片の形状に一致する形状に切欠いた切欠部を形成している。ロック機構は、下部支持部の突片にロック片を被せた位置となすと、下部支持部の突片が切欠部に嵌入して揺動を規制するロック状態となり、一方、ロック片を揺動して、すなわち、下部支持部の突片を切欠部から出した位置となすと、下部支持部が揺動自在となるフリー状態となる。
【００５４】
ハンガー本体をフックを介して竿体に取付ける場合は、下部支持部を竿体の長手方向に取付部を中心に９０度回転すると、フックの切欠開口部が開口し、竿体をフックの切欠開口部から挿入し、ハンガー本体を上方へ押上げる。フックの空間に竿体を当接した状態で、下部支持部を取付部を中心に９０度回転してもとの位置に戻すと、下部支持部の湾曲部が竿体の下面に当接して、すなわち、竿体にはフックと下部支持部の湾曲部が当接してその当接状態を維持することとなる。風等でハンガー本体が上下方向に大きく揺動しても、ハンガー本体が上下方向の振動を減少し、ハンガー本体が竿体から脱落することを防止することができる。
【００５５】
さらに、ロック機構は、下部支持部の突片にロック片を被せた位置となすと、下部支持部の突片がロック片の切欠部に嵌入して下部支持部の揺動を規制するロック状態となる。
【００５６】
他方、フックから竿体を取り外す場合は、上記取り付け作業と逆の手順を行うと、ロック片を揺動して、すなわち、下部支持部の突片を切欠部から出した位置となすと、下部支持部が揺動自在となるフリー状態となり、そして、下部支持部を竿体の長手方向に向くように取付部を中心に９０度揺動すると、フックの切欠開口部が開口し、竿体をフックの空間から切欠開口部を介して容易に取り外すことができる。
【００５７】
以下、本発明の脱落防止機能付き衣類用ハンガーを適用した実施例を図面に基づいて説明する。
【００５８】
［実施例１］
本発明に係る衣類用ハンガーの第１実施形態について説明する。図１は本発明に係る実施形態の脱落防止機能付き衣類用ハンガーを示す斜視図、図２は本発明に係る実施形態の脱落防止機能付き衣類用ハンガーを示す斜視図である。
【００５９】
本発明に係る実施形態の衣類用ハンガー１は、図１及び図２に示すように、衣類を吊り下げるハンガー本体２の上部略中央に馬蹄形状のフック３を突設している。さらに、フック３の基部４には、フック３の切欠開口部５を開閉自在となす竿体取付機構１０を備え、竿体取付機構１０を開閉してハンガー本体２を竿体に取り付けた際に、竿体取付機構１０を構成する当接部材としての円形状の円板１１の湾曲部１１ａが竿体に当接すべく構成している。
【００６０】
ハンガー本体２は、フック３に連設して鼓形状とした基部４と、この基部４に連設して上着を掛けるべく緩やかに傾斜した左右肩部２ａ，２ｂと、この両肩部２ａ，２ｂの下部に連設した連結部２ｃを有している。さらに連結部２ｃには、ズボン等を挟持して吊るすための左右挟持部２ｄ，２ｅを連設している。
【００６１】
竿体取付機構１０は、フック３の基部４に枢支した当接部材としての円形状の円板１１と、フック３の切欠開口部５を開閉するための円板１１を付勢する付勢機構１２を備え、この付勢機構１２は円板１１によりフック３の切欠開口部５を一部狭めた位置で停止状態となるように付勢する構成としている。
【００６２】
円板１１の周縁には、突出した凸部１１ｂを連設しており、この凸部１１ｂは、フック３の湾曲部７の終端に設けた規制部７ａと当接して、付勢機構１２の付勢力による円板１１がフック３の切欠開口部５をさらに狭めてしまうことを規制している。
【００６３】
円板１１の端部１１ｃとフック３の基部４との枢支部１３には、付勢機構１２としての巻バネ１２ａの中央巻き部１２ｂを枢支し、巻バネ１２ａの一端の自由端１２ｃは円板１１の先端内部の凸部１１ｂ内部に固定し、他端の自由端１２ｄはハンガー本体２のフック３の基部４の右下部４ａに固定しており、巻バネ１２ａの付勢力は円板１１をフック３の切欠開口部５の一部を閉塞方向へ作用する。
【００６４】
円板１１は、巻バネ１２ａによりフック３の切欠開口部５の２分の１を閉じた状態で付勢停止するように構成している。
【００６５】
フック３の切欠開口部５から竿体Ｍを挿入し、円板１１を枢支部１３を中心に揺動してフック３内方に大きく押込む際に、円板１１は、円板１１の周縁の湾曲部１１ａが竿体Ｍと摺動しやすく、さらに巻バネ１２ａの付勢力に抗し易くすべく形成している。
【００６６】
衣類用ハンガー１を竿体Ｍに取付ける形態及び衣類用ハンガー１を竿体Ｍから取り外す形態については、以下に詳述する。
【００６７】
［取り付け形態］
本発明に係る実施形態の衣類用ハンガー１を竿体Ｍに取り付ける形態について説明する。図３から図６は本発明に係る実施形態の脱落防止機能付き衣類用ハンガーの取り付け形態を示す説明図である。
【００６８】
図３に示すように、ハンガー本体２を水平方向に位置する竿体Ｍに向って移動する。このとき切欠開口部５は、円板１１により一部開口した状態である。
【００６９】
図４に示すように、ハンガー本体２をフック３を介して竿体Ｍに取り付ける場合は、竿体Ｍを円板１１の周縁の湾曲部１１ａに当接してさらに水平方向に押込むと、円板１１は枢支部１３を中心に付勢機構１２の巻バネ１２ａの付勢力に抗して回動して下方に押下げられ、フック３の切欠開口部５を半分閉じられた位置から全開となるように開放し、竿体Ｍをフック３内の係合空間９に挿入する。
【００７０】
図５に示すように、さらに竿体Ｍを全開状態の切欠開口部５から挿入し、ハンガー本体２を上方へ押上げるとフック３の係合空間９に竿体Ｍを当接した状態とする。
【００７１】
図６に示すように、巻バネ１２ａの付勢復元力により、円板１１が元通り停止位置で停止しフック３の切欠開口部５を半分閉じた位置となる。このとき、円板１１の凸部１１ｂは、フック３の湾曲部７の規制部７ａに当接して過剰な付勢復元力を規制している。そして、円板１１の周縁の湾曲部１１ａはフック３内に挿入された竿体Ｍの下面に当接することとなる。
【００７２】
［取り外し形態］
竿体Ｍに挿入されてロック状態の衣類用ハンガー１を解除して取り外す場合について説明する。図７から図９は本発明に係る実施形態の脱落防止機能付き衣類用ハンガーの取り外し形態を示す説明図である。
【００７３】
図７に示すように、フック３の係合空間９に竿体Ｍを当接した状態からハンガー本体２を下方へ押下げる。すなわち、円板１１は枢支部１３を中心に付勢機構１２の巻バネ１２ａの付勢力に抗して回動して下方に押下げられ、フック３の切欠開口部５を全開となるように開放する。このとき、さらに円板１１の凸部１１ｂに親指を掛けて下方に押下げるようにすることで、容易に円板１１を下方に押下げて切欠開口部５を全開とすることが可能となる。
【００７４】
図８に示すように、竿体Ｍを全開状態の切欠開口部５から取り出すと、フック３の切欠開口部５は、巻バネ１２ａの付勢復元力により、円板１１を元通り停止位置で停止すべく作動する。
【００７５】
図９に示すように、フック３の切欠開口部５は、円板１１により半分閉じた状態となる。このとき、円板１１の凸部１１ｂは、フック３の湾曲部７の規制部７ａに当接して過剰な付勢復元力を規制している。
【００７６】
［実施例２］
本発明に係る衣類用ハンガーの第２実施形態について説明する。図１０は本発明に係る第２実施形態の脱落防止機能付き衣類用ハンガーを示す斜視図、図１１は本発明に係る第２実施形態の脱落防止機能付き衣類用ハンガーを示す斜視図である。なお、第２実施形態の衣類用ハンガーの各構成については、上述した第１実施形態の衣類用ハンガーと同一符号を付して重複説明を省略する。
【００７７】
本発明に係る実施形態の衣類用ハンガー１は、衣類を吊り下げるハンガー本体２の上部略中央に馬蹄形状のフック３を突設している。さらに、フック３の基部４には、フック３の切欠開口部５を開閉自在となす竿体取付機構２０を備え、竿体取付機構２０を開閉してハンガー本体２を竿体に取り付けた際に、竿体取付機構２０の当接部材としてのＬ字形状のアーム２１の湾曲部２３ａが竿体に当接すべく構成している。
【００７８】
ハンガー本体２は、フック３に連設して鼓形状とした基部４と、この基部４に連設して上着を掛けるべく緩やかに傾斜した左右肩部２ａ，２ｂと、この両肩部２ａ，２ｂの下部に連設した連結部２ｃを有している。さらに連結部２ｃには、ズボン等を挟持して吊るすための左右挟持部２ｄ，２ｅを連設している。
【００７９】
また、竿体取付機構２０（図１２参照）は、フック３の中央の基部４に枢支したＬ字形状のアーム２１と、同アーム２１の長片部２２の先端に枢支する鳥形状のガイド体３１を備え、竿体Ｍをフック３への取り付けの際には、竿体Ｍをアーム２１の短片部２３に当接させながら、さらに押込み同アーム２１をフック３の湾曲部７の外方へ揺動させて、上方のフック３の空間に竿体Ｍを当接すると、アーム２１はフック３の湾曲部７の内方へ復帰して揺動するとアーム２１の短片部先端の湾曲部２３ａが竿体Ｍに当接して支持すべく構成している。
【００８０】
フック３の基部４には、鳥形状のガイド体３１の頭部３２とくちばし部３３を収容するように切り抜いた半だるま形状の収容部１０１を設けている。すなわち、収容部１０１は、フック３の切欠開口部５を開閉した際に、ガイド体３１の円形状の頭部３２と三角形状のくちばし部３３が揺動自在となるように形成している。また、フック３の基部４の縁部には、矩形状の切欠部１０２を設けており、鳥形状のガイド体３１の翼部３４の先端が切欠部１０２と係合すると共にガイド体３１のくちばし部３３がフック３の先端部の凹部１０３に当接することで、フック３の切欠開口部５を閉じてロック状態を保持するように構成している。
【００８１】
フック３の先端部は、フック３の切欠開口部５を閉蓋した状態のときに鳥形状のガイド体３１の翼部３４の先端部と一体形状とすべく、く形状に切欠いて凹部１０３を形成している。
【００８２】
Ｌ字形状のアーム２１は、長片部２２の基端側の中途部がフック３の中央の基部４と揺動自在に枢支され、長片部２２の先端部が鳥形状のガイド体３１の中央付近の腹部３５と揺動自在に枢支されるように形成している。また、長片部２２の長手方向に垂直な方向に短片部２３を連設しており、短片部２３の先端の湾曲部２３ａが竿体Ｍの下面に当接した際に接触面を大きくすべく、へこませた湾曲形状に形成し、短片部２３の一側部が竿体Ｍの曲率形状と同一となるような曲部２３ｂを形成している。すなわち、２５は長片部２２の基端側の中途部とフック３の中央の基部４を揺動自在に枢支する第１枢支部であり、２６は長片部２２の先端部と鳥形状のガイド体３１の中央付近の腹部３５を揺動自在に枢支する第２枢支部である。
【００８３】
［取り付け形態］
本発明に係る実施形態の衣類用ハンガー１を竿体Ｍに取り付ける形態について説明する。図１２から図１５は本発明に係る実施形態の脱落防止機能付き衣類用ハンガーの取り付け形態を示す説明図である。
【００８４】
図１２に示すように、ハンガー本体２を水平方向に位置する竿体Ｍに向って移動する。このとき、切欠開口部５は、開口した状態であり、すなわち、Ｌ字形状のアーム２１の長片部２２の先端が水平方向に位置すると共にアーム２１先端に枢支している鳥形状のガイド体３１の翼部３４の先端も水平方向に位置するようにしている。
【００８５】
図１３に示すように、ハンガー本体２をフック３を介して竿体Ｍに取り付ける場合は、竿体Ｍをフック３の切欠開口部５に挿入し、さらに押込むとアーム２１の短片部２３の曲部２３ｂに竿体Ｍの周縁が当接して、第１枢支部２５を中心にアーム２１をフック３の湾曲部７の外方へ押し出すように揺動する。すなわち、アーム２１の短片部２３がフック３の湾曲部７より左方向へ押し出される。
【００８６】
図１４に示すように、ハンガー本体２を上方へ押上げると、フック３の係合空間９に竿体Ｍを当接すると、アーム２１はフック３の湾曲部７の内方へ復帰するように揺動し、アーム２１の短片部先端の湾曲部２３ａが竿体Ｍの下面に当接して、すなわち、竿体Ｍにはフック３短片部先端の湾曲部２３ａが当接してその当接状態を維持することとなる。風等でハンガー本体２が上下方向に大きく揺動しても、ハンガー本体２が上下方向の振動を減少し、ハンガー本体２が竿体Ｍから脱落することを防止することができる。
【００８７】
図１５に示すように、さらに、フック３が竿体Ｍに係合した状態（図１４参照）からフック３の切欠開口部５を閉じてロック状態となすために、アーム２１の先端に枢支した鳥形状のガイド体３１を揺動すると、すなわち、第２枢支部２６を中心にガイド体３１を上方へ移動すると第１枢支部２５を中心にアーム２１も連動して揺動し、そして、ガイド体３１の翼部３４の先端が切欠部１０２と当接すると共にガイド体３１のくちばし部３３がフック３の先端部の凹部１０３に当接することで、フック３の切欠開口部５が閉じてロック状態を維持することが可能となる。
【００８８】
［取り外し形態］
竿体Ｍに挿入されてロック状態の衣類用ハンガー１を解除して取り外す場合について説明する。図１６から図１８は本発明に係る実施形態の脱落防止機能付き衣類用ハンガーの取り外し形態を示す説明図である。
【００８９】
図１４に示した竿体Ｍをフック３に取り付けた状態から、竿体Ｍをフック３から取り外す場合は、図１６に示すように、アーム２１をフック３の湾曲部７の外方へ押し出し、すなわち、アーム２１が第１枢支部２５を中心に揺動してアームの短片部２３をフック３の湾曲部７と重なる位置まで押し出し、さらに、ハンガー本体２を下方へ押し下げて、フック３の係合空間９から竿体を抜去する。このとき、アーム２１は、第１枢支部２５を中心に揺動復帰する。
【００９０】
そして、図１７に示すように、ハンガー本体２を水平方向に移動して、フック３の切欠開口部５から竿体Ｍを取り外す。このとき鳥形状のガイド体３１を第２枢支部２６を中心に下方へ揺動すると共に、収容部１０１に当接していたくちばし部３３が上方へ離間する。
【００９１】
図１８に示すように、竿体Ｍを取り外すと、ガイド体３１は、第２枢支部２６を中心に復帰揺動し、くちばし部３３が収容部１０１に当接した状態となる。なお、アーム２１が切欠開口部５を開口状態とするとき、アーム２１に枢支したガイド体３１の腹部３５がフック３の基部４の切欠部１０２の端部と当接することとなり、アーム２１は、過剰な開口状態を規制される。
【００９２】
［実施例３］
本発明に係る衣類用ハンガーの第３実施形態について説明する。図１９は本発明に係る第３実施形態の脱落防止機能付き衣類用ハンガーを示す斜視図、図２０は本発明に係る第３実施形態の脱落防止機能付き衣類用ハンガーを示す斜視図である。なお、第３実施形態の衣類用ハンガーの各構成については、上述した第１実施形態の衣類用ハンガーと同一符号を付して重複説明を省略する。
【００９３】
本発明に係る実施形態の衣類用ハンガー１は、図１９及び図２０に示すように、衣類を吊り下げるハンガー本体２の上部略中央に馬蹄形状のフック３を突設している。さらに、フック３の基部４には、フック３の切欠開口部５を開閉自在となす竿体取付機構４０を備え、竿体取付機構４０を開閉してハンガー本体２を竿体に取り付けた際に、竿体取付機構４０の当接部材としての板状の下部支持部４１の湾曲部４１ａが竿体に当接すべく構成している。
【００９４】
ハンガー本体２は、フック３に連設して鼓形状とした基部４と、この基部４に連設して上着を掛けるべく緩やかに傾斜した左右肩部２ａ，２ｂと、この両肩部２ａ，２ｂの下部に連設した連結部２ｃを有している。さらに連結部２ｃには、ズボン等を挟持して吊るすための左右挟持部２ｄ，２ｅを連設している。
【００９５】
竿体取付機構４０は、竿体Ｍの長手方向に開閉する板状の下部支持部４１と、フック３の中央の基部４に設けた矩形状の開口部１１０内の両側部１１１，１１２に下部支持部４１の中途部を枢支する構成としている（図２１参照）。この下部支持部４１は、フック３の切欠開口部５を閉じた際に、切欠開口部５を半分閉じられた状態が竿体Ｍの取り付け位置となるように、係合空間９に延伸した長さに形成している。例えば、切欠開口部５が半分閉じられた状態とは、竿体Ｍの半径分が閉じられた状態である。
【００９６】
すなわち、下部支持部４１の中途部の両側部４２，４３から挿通して形成した挿通口４４に回転軸４５を挿通し、さらに回転軸４５の両端をフック３の基部４の開口部１１０内の両側部１１１，１１２に枢支することにより枢支部４６を構成している。
【００９７】
下部支持部４１の先端には、竿体Ｍの下面に沿った湾曲形状の湾曲部４１ａを形成し、下部支持部４１の下部の下端には、フック３の切欠開口部５を開閉すべく揺動した際に、フック３の基部４の開口部１１０内の底部１１３と摺動し易くすべく竿体Ｍの長手方向を下方に凸の湾曲形状の摺動部４１ｂを形成している。さらに、下部支持部４１の下部には、下部支持部４１がフック３の基部４を挟持してロックするロック機構４７を設けている。
【００９８】
ロック機構４７は、長方形状のロック片４８を下部支持部４１の前部４１ｃ後部４１ｄにそれぞれ設けて枢支している。ロック機構４７では、ロック片４８の長部４８ａを回転軸４５と同じ方向にしている状態が、下部支持部４１が揺動自在となるフリー状態となり、一方、ロック片４８の長部４８ａを回転して回転軸４５に垂直となす方向にしてフック３の基部４を挟持した状態が下部支持部４１をロックした状態となる。４８ｂは、ロック片４８の短部である。４８ｃは、ロック片４８のロック片枢支部である。
【００９９】
そして、本ハンガーは、デザイン性を向上させるために、フック３先端と基部４に手を描画し、猿の顔を描いた頭部を下部支持部４１に配設している。
【０１００】
［取り付け形態］
本発明に係る実施形態の衣類用ハンガー１を竿体Ｍに取り付ける形態について説明する。図２１から図２３は本発明に係る実施形態の脱落防止機能付き衣類用ハンガーの取り付け形態を示す説明図である。
【０１０１】
図２１に示すように、ハンガー本体をフックを介して竿体に取り付ける場合は、ハンガー本体２を水平方向に位置する竿体Ｍに向って移動する。このとき、下部支持部４１を枢支部４６を中心に９０度回転する。
【０１０２】
図２２に示すように、下部支持部４１の先端の湾曲部４１ａが竿体Ｍの長手方向に向くようにすると、フック３の切欠開口部５が半分閉じられた形態から全開し、竿体Ｍをフック３の切欠開口部５から挿入し、ハンガー本体２を上方へ押上げる。
【０１０３】
図２３に示すように、フック３の係合空間９に竿体Ｍを当接した状態で、下部支持部４１を枢支部４６を中心に復帰するように９０度回転すると、下部支持部４１の先端の湾曲部４１ａが竿体Ｍの下面に当接して、すなわち、フック３が竿体Ｍに当接してその当接状態を維持することとなる。さらに、ロック機構４７のロック片４８をロック片枢支部４８ｃを中心に回転して長部４８ａが回転軸４５に垂直となす方向となると、フック３の基部４を挟持して、下部支持部４１をロックした状態となる。風等でハンガー本体２が上下方向に大きく揺動しても、ハンガー本体２が上下方向の振動を減少し、ハンガー本体２が竿体Ｍから脱落することを防止することができる。
【０１０４】
［取り外し形態］
竿体Ｍに挿入されてロック状態の衣類用ハンガー１を解除して取り外す場合について説明する。図２４から図２６は本発明に係る実施形態の脱落防止機能付き衣類用ハンガーの取り外し形態を示す説明図である
【０１０５】
図２４に示すように、フック３から竿体Ｍを取り外す場合は、ロック機構４７のロック片４８の長部４８ａが回転軸４５と同じ方向になるようにロック片枢支部４８ｃを中心に回転することにより、下部支持部４１が回転自在なフリー状態となる。
【０１０６】
図２５に示すように、下部支持部４１が竿体Ｍの長手方向になるように枢支部４６を中心に９０度回転すると、フック３の切欠開口部５が半分閉じられた形態から全開し、ハンガー本体２をフック３の係合空間９から切欠開口部５を介して取り外すことができる。
【０１０７】
図２６に示すように、竿体Ｍを取り外したのちは、下部支持部４１を枢支部４６を中心に９０度回転してもとの位置に復帰すると、下部支持部４１の湾曲部４１ａが竿体Ｍの長手方向に対して垂直な方向となる。
【０１０８】
［実施例４］
本発明に係る衣類用ハンガーの第４実施形態について説明する。図２７は本発明に係る第４実施形態の脱落防止機能付き衣類用ハンガーを示す斜視図、図２８は本発明に係る第４実施形態の脱落防止機能付き衣類用ハンガーを示す斜視図である。なお、第４実施形態の衣類用ハンガーの各構成については、上述した第１実施形態の衣類用ハンガーと同一符号を付して重複説明を省略する。
【０１０９】
本発明に係る実施形態の衣類用ハンガー１は、図２７及び図２８に示すように、衣類を吊り下げるハンガー本体２の上部略中央に馬蹄形状のフック３を突設している。さらに、フック３の基部４には、フック３の切欠開口部５を開閉自在となす竿体取付機構６０を備え、竿体取付機構６０を開閉してハンガー本体２を竿体に取り付けた際に、竿体取付機構６０の当接部材としての三日月形状の下部支持部６１の湾曲部６１ａが竿体に当接すべく構成している。
【０１１０】
ハンガー本体２は、フック３に連設して鼓形状とした基部４と、この基部４に連設して上着を掛けるべく緩やかに傾斜した左右肩部２ａ，２ｂと、この両肩部２ａ，２ｂの下部に連設した連結部２ｃを有している。さらに連結部２ｃには、ズボン等を挟持して吊るすための左右挟持部２ｄ，２ｅを連設している。
【０１１１】
竿体取付機構６０は、竿体Ｍの長手方向に開閉する三日月形状の下部支持部６１と、同下部支持部６１に連設した連結部６２と、フック３の基部４に連結部６２を枢支する構成としている。
【０１１２】
すなわち、連結部６２の下部６２ａをフック３の基部４に設けたＬ字形状の切欠部１２０内の基部４の側部１２１に枢支することにより枢支部６３を構成している。
【０１１３】
連結部６２の下部６２ａは、下部支持部６１を竿体Ｍの長手方向に９０度開閉自在とすべく、前方下部６２ｂを曲面形状に形成し、後方下部６２ｃを直角形状にそれぞれ形成している。
【０１１４】
下部支持部６１は、三日月形状に形成した湾曲部６１ａと、この湾曲部６１ａの表面に設けた弾性のストッパー部６４とからなり、ハンガー本体２を竿体Ｍに取付けた際に、下部支持部６１とフック３により竿体Ｍを取付けるための環体１２２を形成することとなる。さらに、フック３の中央の基部４には、下部支持部６１をロックするロック機構６５を設けており、ロック機構６５は、長方形状のロック片６６を基部４にロック片枢支部６６ｃを介して枢支している。ロック機構６５は、ロック片６６の長部６６ａを垂直方向から水平方向に位置した状態が、下部支持部６１の揺動を規制するロック状態となり、一方、ロック片６６の長部６６ａを垂直方向に位置した状態が、下部支持部６１が揺動自在となるフリー状態である。なお、６６ｂはロック片６６の短部である。
【０１１５】
［取り付け形態］
本発明に係る実施形態の衣類用ハンガー１を竿体Ｍに取り付ける形態について説明する。図２９から図３１は本発明に係る実施形態の脱落防止機能付き衣類用ハンガーの取り付け形態を示す説明図である。
【０１１６】
図２９に示すように、ハンガー本体２をフック３を介して竿体に取り付ける場合は、ハンガー本体２を水平方向に位置する竿体Ｍに向って移動する。このとき、下部支持部６１を枢支部６３を中心に９０度回転する。
【０１１７】
図３０に示すように、下部支持部６１の湾曲部６１ａが竿体Ｍの長手方向に向くように枢支部６３を中心に９０度回転すると、フック３の切欠開口部５が全開し、竿体Ｍをフック３の切欠開口部５から挿入し、ハンガー本体２を上方へ押上げる。
【０１１８】
図３１に示すように、フック３の係合空間９に竿体Ｍを当接した状態で、下部支持部６１を枢支部６３を中心に９０度復帰回転すると、下部支持部６１の先端の湾曲部６１ａのストッパー部６４が竿体Ｍの下面に当接して、すなわち、竿体Ｍにはフック３と下部支持部６１の湾曲部６１ａが当接してその当接状態を維持することとなる。さらに、ロック機構６５のロック片６６の長部６６ａを垂直方向から水平方向に位置した状態とすることにより、下部支持部６１の回転を規制するロック状態となる。風等でハンガー本体２が上下方向に大きく揺動しても、ハンガー本体２の上下方向の振動を減少し、ハンガー本体２が竿体から脱落することを防止することができる。
【０１１９】
［取り外し形態］
竿体Ｍに挿入されてロック状態の衣類用ハンガー１を解除して取り外す場合について説明する。図３２から図３３は本発明に係る実施形態の脱落防止機能付き衣類用ハンガーの取り外し形態を示す説明図である
【０１２０】
図３２に示すように、フック３から竿体Ｍを取り外す場合は、ロック機構６５のロック片６６の長部６６ａを垂直方向に位置した状態とすることにより、下部支持部６１が回転自在なフリー状態となり、そして、下部支持部６１の湾曲部６１ａが竿体Ｍの長手方向に向くように枢支部６３を中心に９０度回転すると、フック３の切欠開口部５が全開し、ハンガー本体２をフック３の係合空間９から切欠開口部５を介して取り外すことができる。
【０１２１】
図３３に示すように、竿体Ｍを取り外したのちは、下部支持部６１を枢支部６３を中心に９０度回転してもとの位置に復帰すると、下部支持部６１の湾曲部６１ａが竿体Ｍの長手方向に対して垂直な方向となる。
【０１２２】
［実施例５］
本発明に係る衣類用ハンガーの第５実施形態について説明する。図３４は本発明に係る第５実施形態の脱落防止機能付き衣類用ハンガーを示す斜視図、図３５は本発明に係る第５実施形態の脱落防止機能付き衣類用ハンガーを示す斜視図である。なお、第５実施形態の衣類用ハンガーの各構成については、上述した第１実施形態の衣類用ハンガーと同一符号を付して重複説明を省略する。
【０１２３】
本発明に係る実施形態の衣類用ハンガー１は、図３４及び図３５に示すように、衣類を吊り下げるハンガー本体２の上部略中央に馬蹄形状のフック３を突設している。さらに、フック３の基部４には、フック３の切欠開口部５を開閉自在となす竿体取付機構８０を備え、竿体取付機構８０を開閉してハンガー本体２を竿体に取り付けた際に、竿体取付機構８０の当接部材としての下部支持部８１の湾曲部８１ａが竿体に当接すべく構成している。
【０１２４】
ハンガー本体２は、フック３に連設して鼓形状とした基部４と、この基部４に連設して上着を掛けるべく緩やかに傾斜した左右肩部２ａ，２ｂと、この両肩部２ａ，２ｂの下部に連設した連結部２ｃを有している。さらに連結部２ｃには、ズボン等を挟持して吊るすための左右挟持部２ｄ，２ｅを連設している。
【０１２５】
竿体取付機構８０は、竿体Ｍの長手方向に開閉する下部支持部８１と、同下部支持部８１を連結部８２，８２を介してフック３の基部４に連設した半円柱形状の取付部８３に枢支する構成としている。
【０１２６】
下部支持部８１は、フック３の先端より延出した三日月形状に形成しており、この下部支持部８１は、竿体Ｍの下部に当接する湾曲部８１ａと、湾曲部８１ａの一端に連設すると共にフック３の先端に当接する半円形状の突部８１ｂと、湾曲部８１ａの他端に連設すると共にフック３の湾曲部７に当接する突片８１ｃとからなる。下部支持部８１の前部には、１対の板状の連結部８２，８２のそれぞれの一方の端部を連設し、さらに、連結部８２，８２の他方の各端部は、取付部８３にそれぞれ挟持した状態で揺動自在となるように構成している。
【０１２７】
フック３の湾曲部７には、下部支持部８１の突片８１ｃに係合してロック状態となす多角形状のロック機構８４のロック片８５を枢支しており、ロック片８５には、突片８１ｃの形状に一致するように切欠いた切欠部８５ａを形成している。８５ｂは、ロック片のロック片枢支部である。
【０１２８】
ロック機構８４は、下部支持部８１の突片８１ｃにロック片８５を被せた位置となすと、下部支持部８１の突片８１ｃが切欠部８５ａに嵌入して揺動を規制するロック状態となり、一方、ロック片８５を上方に揺動して、すなわち、下部支持部８１の突片８１ｃを切欠部８５ａから出した位置となすと、下部支持部８１が揺動自在となるフリー状態となる。
【０１２９】
そして、本ハンガーは、デザイン性を向上させるために鳥を描画しており、すなわち、フック３先端に鳥の目、下部支持部８１の先端にくちばし、ロック片８５に鶏冠を描画している。
【０１３０】
［取り付け形態］
本発明に係る実施形態の衣類用ハンガー１を竿体Ｍに取り付ける形態について説明する。図３６から図３８は本発明に係る実施形態の脱落防止機能付き衣類用ハンガーの取り付け形態を示す説明図である。
【０１３１】
図３６に示すように、ハンガー本体２をフック３を介して竿体に取り付ける場合は、ハンガー本体２を水平方向に位置する竿体Ｍに向って移動する。このとき、ロック機構８４のロック片８５を回転すると、すなわち、ロック片８５の切欠部８５ａから下部支持部８１の突片８１ｃを出し、下部支持部８１をフリー状態とする。
【０１３２】
図３７に示すように、下部支持部８１の湾曲部８１ａが竿体Ｍの長手方向に向くように取付部８３を中心に９０度回転すると、フック３の切欠開口部５が開口し、竿体Ｍをフック３の切欠開口部５から挿入し、ハンガー本体２を上方へ押上げる。
【０１３３】
図３８に示すように、フック３の係合空間９に竿体Ｍを当接した状態で、下部支持部８１を取付部８３を中心に９０度回転してもとの位置に戻すと、下部支持部８１の湾曲部８１ａが竿体Ｍの下面に当接して、すなわち、竿体Ｍにはフック３と下部支持部８１の湾曲部８１ａが当接してその当接状態を維持することとなる。さらに、ロック機構８４は、下部支持部８１の突片８１ｃにロック片８５を被せた位置となすと、すなわち、下部支持部８１の突片８１ｃがロック片８５の切欠部８５ａに嵌入して下部支持部８１の揺動を規制するロック状態となる。風等でハンガー本体が上下方向に大きく揺動しても、ハンガー本体の上下方向の振動を減少し、ハンガー本体が竿体から脱落することを防止することができる。
【０１３４】
［取り外し形態］
竿体Ｍに挿入されてロック状態の衣類用ハンガー１を解除して取り外す場合について説明する。図３９から図４０は本発明に係る実施形態の脱落防止機能付き衣類用ハンガーの取り外し形態を示す説明図である
【０１３５】
図３９に示すように、フック３から竿体Ｍを取り外す場合は、ロック機構８４のロック片８５を揺動して、すなわち、下部支持部８１の突片８１ｃをロック片８５の切欠部８５ａから出した位置となすと、下部支持部８１が揺動自在となるフリー状態となる。そして、下部支持部８１を竿体の長手方向に向くように取付部８３を中心に９０度揺動すると、フック３の切欠開口部５が開口し、ハンガー本体２をフック３の係合空間９から切欠開口部５を介して取り外すことができる。
【０１３６】
図４０に示すように、竿体Ｍを取り外したのちは、下部支持部８１を取付部８３を中心に９０度回転してもとの位置に復帰すると、下部支持部８１の湾曲部８１ａが竿体Ｍの長手方向に対して垂直な方向となる。さらに、ロック機構８４のロック片８５を下部支持部８１の突片８１ｃに被せた位置となすことでロック状態となる。
【０１３７】
なお、ハンガー本体２の形状については、特に本実施形態の形状に限定する必要はなく、例えば、連結部２ｃを除いた左右肩部２ａ，２ｂをフック基部４に連設したものでもよい。
【符号の説明】
【０１３８】
Ｍ  竿体
１  衣類用ハンガー
２  ハンガー本体
３  フック
４  フックの基部
５  切欠開口部
７  湾曲部
９  係合空間
１０，２０，４０，６０，８０  竿体取付機構
１１  円板
１１ａ  湾曲部
１２  付勢機構
１３  枢支部
２１  アーム
２２  長片部
２３  短片部
２３ａ  湾曲部
２５  第１枢支部
２６  第２枢支部
３１  ガイド体
４１  下部支持部
４１ａ  湾曲部
６１  下部支持部
６１ａ  湾曲部
６２，８２  連結部
６４  ストッパー部
６５，８４  ロック機構
８１  下部支持部
８１ａ  湾曲部
８３  取付部
【図１】
2010240044.tif 000003
【図２】
2010240044.tif 000004
【図３】
2010240044.tif 000005
【図４】
2010240044.tif 000006
【図５】
2010240044.tif 000007
【図６】
2010240044.tif 000008
【図７】
2010240044.tif 000009
【図８】
2010240044.tif 000010
【図９】
2010240044.tif 000011
【図１０】
2010240044.tif 000012
【図１１】
2010240044.tif 000013
【図１２】
2010240044.tif 000014
【図１３】
2010240044.tif 000015
【図１４】
2010240044.tif 000016
【図１５】
2010240044.tif 000017
【図１６】
2010240044.tif 000018
【図１７】
2010240044.tif 000019
【図１８】
2010240044.tif 000020
【図１９】
2010240044.tif 000021
【図２０】
2010240044.tif 000022
【図２１】
2010240044.tif 000023
【図２２】
2010240044.tif 000024
【図２３】
2010240044.tif 000025
【図２４】
2010240044.tif 000026
【図２５】
2010240044.tif 000027
【図２６】
2010240044.tif 000028
【図２７】
2010240044.tif 000029
【図２８】
2010240044.tif 000030
【図２９】
2010240044.tif 000031
【図３０】
2010240044.tif 000032
【図３１】
2010240044.tif 000033
【図３２】
2010240044.tif 000034
【図３３】
2010240044.tif 000035
【図３４】
2010240044.tif 000036
【図３５】
2010240044.tif 000037
【図３６】
2010240044.tif 000038
【図３７】
2010240044.tif 000039
【図３８】
2010240044.tif 000040
【図３９】
2010240044.tif 000041
【図４０】
2010240044.tif 000042